(57)【特許請求の範囲】
【請求項１】
スピニングリールを支持可能な第１長さの第１状態と、前記第１長さより短い第２長さの第２状態とに伸縮自在に調節可能なリールスタンドであって、
内部に収容空間が形成され、第１係合部を有する棒状の第１部材と、
前記第２状態で、前記収容空間に少なくとも一部が収容されて前記第１係合部と係合する第２係合部を有する棒状の第２部材と、
を備えるリールスタンド。
【請求項２】
前記第１部材はその第１端部に前記第１係合部を有し、前記第２部材はその第１端部に前記第２係合部を有する、
請求項１に記載のリールスタンド。
【請求項３】
前記第１部材はその第２端部に前記第１係合部を有し、前記第２部材はその第２端部に前記第２係合部を有する、
請求項１に記載のリールスタンド。
【請求項４】
前記第２部材を伸縮軸方向に付勢する付勢部材を備える、
請求項２又は３に記載のリールスタンド。
【請求項５】
前記第１部材はその第１端部に前記第１係合部を有し、前記第２部材はその第２端部に前記第２係合部を有する、
請求項１に記載のリールスタンド。
【発明の詳細な説明】
【技術分野】
【０００１】
本発明は、リールスタンドに関する。
【背景技術】
【０００２】
魚釣り用のスピニングリールは、釣竿に装着してハンドルを回し、前方に放出した釣糸を手元に巻き取るためのリールである。魚釣りにおいて、仕掛けとして生き餌を針にかけて釣りを行う、いわゆる泳がせ釣りをスピニングリールで行うことがある。泳がせ釣りでは、当たりがあったときに釣竿が持って行かれないようにリールのクラッチを解除した状態とする。そしてこの状態で仕掛けを投擲したままハンドルやロータが地面に当たらないように釣竿を竿受け等に置いて生き餌をしばらく泳がせておき、釣人は当たりを待つことになる。この場合、特に、波止場や堤防から泳がせ釣りを行うときは、竿受けを取り付けることが難しい。また、竿受けを取り付けたとしても、ポイントを変更するため頻繁に移動するときに竿受けを持って移動するのは手間が掛かる。また、当たりがあったときは直ちに巻き上げ操作を行う必要があるため、竿受けに取り付けると俊敏な巻き上げ操作を行いにくい。
【０００３】
また、泳がせ釣りではないときでも、釣人が仕掛けやルアーを釣り糸に結んだり、手を洗ったりするような、釣竿を竿受けに取り付けるまでもない短い時間だけ、リールが取り付けられた状態の釣竿を地面に置くことがある。あるいは、バスボート等で釣り場を移動するときに、リールが取り付けられた状態の釣竿をバスボートの船上に置くことがある。しかしリールが取り付けられた状態の釣竿をそのまま地面や船上に置くと、振動でベールやロータが傷付くおそれが生じる。また、クラッチを解除した状態で置いておくと、当たりがあったときにロータが回転して地面や船体に接触し、ベールやロータが傷付くおそれがある。
【０００４】
そこで、リールを取り付けた釣竿を地面に置くために、ハンドルを装着していない側に装着するスタンド部材（スピニングリール用のリールスタンド）が知られている（たとえば、特許文献１及び特許文献２参照）。このリールスタンドをスピニングリールに装着し、釣竿とリールスタンドの接地部を接地させることにより、リールのロータが回転してもロータが地面に接触しないようにすることができる。そのため、当たりがあったときに直ちに巻き上げ操作を行うことができるとともに、ロータが回転してもベールやロータが傷付くのを防止することができる。
【先行技術文献】
【特許文献】
【０００５】
【特許文献１】特開２００４−４１１３８号公報
【特許文献２】特開２０１０−１９３７８２号公報
【発明の概要】
【発明が解決しようとする課題】
【０００６】
上述のようにスピニングリール用のリールスタンドは、スピニングリールに常時装着しているわけではなく、必要になったときに釣人（ユーザ）が装着するものである。ユーザは必要なときにすぐに装着できるように、リールスタンドを身近に持ち運ぶ必要がある。そのためリールスタンドは、リールに装着していないとき（使用しないとき）には持ち運びに便利なようにできるだけコンパクトであることが望ましい。そしてリールに装着して使用するときに容易に必要な長さに調節できることが望ましい。
【０００７】
特許文献１には、スピニングリールに装着可能なリールスタンドが開示されているが、その長さは可変ではない。
【０００８】
特許文献２には、大径筒状の第１本体部材の内周側に小径筒状の第２本体部材を装着し、第２本体部材を第１本体部材に対してスライドさせてねじ等の固定部材によって固定することにより、本体部材の長さを変更可能なリールスタンドが開示されている。
【０００９】
しかしながら、特許文献２に開示されたリールスタンドは、リールスタンドの本体部材とは別個の固定部材で固定させるので、伸縮の調節がしにくいという問題がある。また磯の上など、不安定な場所では固定作業が煩雑であり、また固定部材を落としてしまったり、紛失してしまったりする可能性がある。
【００１０】
そこで、固定のための別部材を用いないことにより、固定部材の紛失のおそれがなく、簡単な構造で容易に伸縮可能なスピニングリール用のリールスタンドが望まれている。
【００１１】
本発明は上記のような問題を解決するためになされたものであり、固定部材の紛失のおそれがなく、簡単な構造で容易に伸縮可能なリールスタンドを提供することを目的とする。
【課題を解決するための手段】
【００１２】
（１）本発明に係るリールスタンドは、
スピニングリールを支持可能な第１長さの第１状態と、前記第１長さより短い第２長さの第２状態とに伸縮自在に調節可能なリールスタンドであって、
内部に収容空間が形成され、第１係合部を有する棒状の第１部材と、
前記第２状態で、前記収容空間に少なくとも一部が収容されて前記第１係合部と係合する第２係合部を有する棒状の第２部材と、
を備える。
【００１３】
（２）好ましくは、前記第１部材はその第１端部に前記第１係合部を有し、前記第２部材はその第１端部に前記第２係合部を有する。
【００１４】
（３）好ましくは、前記第１部材はその第２端部に前記第１係合部を有し、前記第２部材はその第２端部に前記第２係合部を有する。
【００１５】
（４）好ましくは、前記第２部材を伸縮軸方向に付勢する付勢部材を備える。
【００１６】
（５）好ましくは、前記第１部材はその第１端部に前記第１係合部を有し、前記第２部材はその第２端部に前記第２係合部を有する。
【発明の効果】
【００１７】
本発明によれば、固定部材の紛失のおそれがなく、簡単な構造で容易に伸縮可能なリールスタンドを提供することができる。
【図面の簡単な説明】
【００１８】
【図１】本発明のリールスタンドを装着するスピニングリールの側面図である。
【図２】本発明のリールスタンドを装着するスピニングリールの背面図である。
【図３】本発明の実施の形態１に係るリールスタンドを装着したスピニングリールを地面に置いたときの背面図である。
【図４】（ａ）本発明の実施の形態１に係るリールスタンドの収容時（短縮時）の側面（一部断面）図、（ｂ）延伸時の側面（一部断面）図である。
【図５】（ａ）本発明の実施の形態２に係るリールスタンドの収容時の側面（一部断面）図、（ｂ）延伸時の側面（一部断面）図である。
【図６】（ａ）本発明の実施の形態３に係るリールスタンドの収容時の側面（一部断面）図、（ｂ）延伸時の側面（一部断面）図である。
【図７】（ａ）本発明の実施の形態４に係るリールスタンドの収容時の側面（一部断面）図、（ｂ）延伸時の側面（一部断面）図である。
【図８】（ａ）本発明の実施の形態５に係るリールスタンドの収容時の側面（一部断面）図、（ｂ）延伸時の側面（一部断面）図である。
【図９】（ａ）本発明の実施の形態６に係るリールスタンドの収容時の側面（一部断面）図、（ｂ）延伸時の側面（一部断面）図である。
【発明を実施するための形態】
【００１９】
（実施の形態１）
本発明の実施の形態１に係るリールスタンド１０とそれを装着することができるスピニングリール２００について説明する。
【００２０】
スピニングリール２００は、図１に示すように釣竿Ｒに取り付けられる。スピニングリール２００は、釣竿Ｒの長手方向（図１の左右方向）に沿った軸回りに釣り糸を巻き取るリールであって、ハンドル２１１を備えたリール本体２１２と、リール本体２１２の前部に回転自在に支持されたロータ２１３と、ロータ２１３の前部に配置され、釣り糸を巻き取るためのスプール２１４と、を備える。スピニングリール２００は、ハンドル２１１を回すことによってロータ２１３が回転し、スプール２１４に釣糸を巻き取るようにするための機構をリール本体２１２の内部に備えている。
【００２１】
リール本体２１２は、釣竿Ｒに装着される前後に長い取付部２１２ｃと、内部に巻き取り機構を収納したリールボディ２１２ａと、取付部２１２ｃとリールボディ２１２ａとを連結する脚部２１２ｂとを有している。リール本体２１２は、たとえば合成樹脂製又はアルミニウム合金やマグネシウム合金などの合金製である。
【００２２】
図２に示すように、リール本体２１２の左右両側には、ハンドル２１１が着脱可能に装着されるハンドル装着軸（図示せず）を保護する円筒状の保護部２２０ａ、２２０ｂが突出して形成されている。ハンドル２１１は、ユーザの好みにより左右のハンドル装着軸のいずれかに装着可能であり、図２では保護部２２０ａの側のハンドル装着軸に装着されている。ハンドル２１１が装着されていない側の保護部２２０ｂには、ハンドル装着軸を保護するキャップ２２２が装着されている。
【００２３】
図２の円内に記載したキャップ２２２の断面図に示すように、キャップ２２２には雄ネジ２２３が形成されている。保護部２２０ａ、２２０ｂにはその内側に図示しない雌ネジが形成されており、キャップ２２２の雄ネジ２２３と螺合可能である。
【００２４】
リールスタンド１０は、キャップ２２２を外した保護部２２０ｂに装着し延伸させた状態で使用する。具体的には、図３に示すように釣竿Ｒと、延伸させた状態のリールスタンド１０の接地部２８とを地面Ｇに接地させる。延伸させたリールスタンド１０は、ロータ２１３が地面Ｇから離間して配置されるようにスピニングリール２００を支持可能である。この状態では、釣糸が引っ張られてもロータ２１３は図中に点線で示す円内で回転し、地面Ｇに接触することはない。
【００２５】
図４を参照してリールスタンド１０について説明する。なお、以下のリールスタンドの説明において「後」とは、スピニングリールに装着したときにスピニングリールに向く側又は方向であり、「前」とはその反対側、即ちスピニングリールに装着したときに地面等に接地する側又は方向である。
【００２６】
図４（ａ）、（ｂ）に示すように、リールスタンド１０は第１部材１１と第２部材２１とを有する。図４（ａ）、（ｂ）では、第１部材１１と第２部材２１との結合関係を理解しやすくするため第１部材１１を断面図で示している。なお以降の図においても、同様の理由で第１部材を断面図で示している。第１部材１１と第２部材２１は例えば合成樹脂製である。
【００２７】
第１部材１１は、中心軸（円筒軸）Ｓに沿って前方にいくほど外径が小さくなるテーパを有する円筒形の棒状部材（棒材）である。第１部材１１は、円筒形の収容空間１７が内部に形成されている。第１部材１１の前端部（第２端部）１３の中央部は円形に開口して収容空間１７に通じており、その開口部の内側には雌ネジ１５が形成されている。
【００２８】
図４（ｂ）に示すように、第１部材１１の後端部（第１端部）１２の収容空間１７に面した側（収容空間１７の底面）の中央部に円孔１６が設けられており、その内側に雌ネジ（第１係合部）１４が形成されている。後端部１２には、スピニングリール２００の保護部２２０ｂの雌ネジに螺着するための装着ネジ１８が後方に突出して設けられている。ハンドル２１１を装着するハンドル装着軸と干渉しないようにするため、装着ネジ１８はその中央部に貫通孔を有している。装着ネジ１８のピッチと外径は、キャップ２２２の雄ネジ２２３のピッチと外径と同じである。
【００２９】
第２部材２１は、中心軸Ｓと同軸上に配置される中実の円筒形の棒材である。第２部材２１の後端部（第１端部）２２の外周には、雄ネジ（第２係合部）２４と、それに隣接する雄ネジ２５が形成されている。雄ネジ２４と雄ネジ２５は、同じ外径とピッチを有している。雄ネジ２４と雄ネジ２５の間に、雄ネジ２４、２５よりも径の大きい円板状のストッパ２６が形成されている。雄ネジ２４は、雌ネジ１４と螺合可能であり、雄ネジ２５は、雌ネジ１５と螺合可能である。第２部材２１の前端には、接地部２８が形成されている。即ち、第２部材２１は接地部２８を除いた部分である。接地部２８は、前端が半球状に突出して接地し易いように形成されている。接地部２８の側部２９には、ユーザが手で第２部材２１を回しやすいように、滑り止めの溝が設けられている。
【００３０】
リールスタンド１０をスピニングリールスタンドとして使用しないときは、ユーザが第２部材２１の接地部２８を手で持って右回りに回転させ、雄ネジ２４を第１部材１１の雌ネジ１４と螺合させる。これにより、図４（ａ）に示すように、リールスタンド１０は第２部材２１の大部分が第１部材１１の収容空間１７に収容された、収容状態（第２状態）に調節される。収容状態では、リールスタンド１０はその長さが使用時（延伸状態）よりも短縮された短縮状態である。
【００３１】
リールスタンド１０をスピニングリールスタンドとして使用するときは、ユーザが収容状態の第２部材２１を左回りに回転させて雄ネジ２４と雌ネジ１４との螺合を解除し、第２部材２１を前方に引き出してさらに左回りに回転させ、第２部材２１の雄ネジ２５を第１部材１１の雌ネジ１５と螺合させる。ストッパ２６が第１部材１１の前端部１３の後端に当接するまで第２部材２１を左回転すると、図４（ｂ）に示すように、第２部材２１を前方へ延出させた延伸状態（第１状態）に調節される。この状態では、リールスタンド１０はスピニングリール２００を支持するスタンドとして使用するために適切な長さとなる。そしてスピニングリール２００のキャップ２２２を外し、リールスタンド１０の装着ネジ１８を保護部２２０ｂの内側に形成された雌ネジと螺合させて、スピニングリールスタンドとして使用する。
【００３２】
このようにリールスタンド１０は、スピニングリールスタンドとして使用しないときは第２部材２１を第１部材１１の収容空間１７に収容することでコンパクトになり、持ち運びに便利である。スピニングリールスタンドとして使用するときには、第２部材２１を左回りに回転させるだけで容易に延伸させることができ、スピニングリール２００に螺合装着してスタンドとして用いることができる。また、第１部材１１と第２部材２１とを係合する係合部がそれぞれ第１部材１１と第２部材２１とに形成されているので、係合部材が紛失するおそれがない。
【００３３】
（実施の形態２）
図５を参照して、実施の形態２に係るリールスタンド３０を説明する。リールスタンド３０は、リールスタンド１０にスプリング（付勢部材）４０を備えた形態である。
【００３４】
図５（ａ）、（ｂ）に示すように、リールスタンド３０は第１部材３１と第２部材４１とを有する。第１部材３１は、前端にいくほど外径が小さくなるテーパを有する円筒形の棒材である。第１部材３１は、前端部（第２端部）３３が円形に開口した円筒形の収容空間３７が内部に形成されている。リールスタンド１０と異なり、リールスタンド３０の前端部３３は開口部内側に雌ネジを有していない。図５（ｂ）に示すように、第１部材３１の後端部（第１端部）３２の収容空間３７に面した側の中央部に円孔３６が設けられており、その内側に雌ネジ（第１係合部）３４が形成されている。後端部３２には、装着ネジ３８が後方に突出して設けられている。装着ネジ３８の構造と機能はリールスタンド１０の装着ネジ１８と同じである。
【００３５】
第２部材４１は、中心軸Ｓと同軸上に配置される中実の円筒形の棒材である。第２部材４１の後端部（第１端部）４２の外周には、雄ネジ（第２係合部）４４が形成されている。雄ネジ４４から前方に離間した位置に、前端部３３の開口よりも大きな径を有する円板状のストッパ４６が形成されている。第２部材４１の前端には、側部４９を有する接地部４８が形成されている。即ち、第２部材４１は接地部４８を除いた部分である。接地部４８の構造と機能はリールスタンド１０の接地部２８と同じである。
【００３６】
第１部材３１の収容空間３７の底面３５とストッパ４６との間に、スプリング４０が配置されている。スプリング４０の巻き径は雌ネジ３４の径よりも大きく、後端側は底面３５に当接している。スプリング４０の前端側はストッパ４６と当接し、第２部材４１を中心軸（伸縮軸）Ｓ前方方向に付勢する。
【００３７】
リールスタンド３０をスピニングリールスタンドとして使用しないときは、ユーザが雄ネジ４４を第１部材３１の雌ネジ３４に螺合させる。これにより、図５（ａ）に示すように、第２部材４１の大部分が第１部材３１の収容空間３７に収容された、収容状態となる。収容状態では、リールスタンド３０はその長さが使用時（延伸状態）よりも短縮されている。スプリング４０は、収容状態において最も圧縮された状態となる。
【００３８】
リールスタンド３０をスピニングリールスタンドとして使用するときには、収容状態から第２部材４１を左回りに回転させて雄ネジ４４と雌ネジ３４との螺合を解除する。すると図５（ｂ）に示すように、スプリング４０の付勢力により、ストッパ４６が第１部材３１の前端部３３の後端面に当接するまで、第２部材４１が前方に押し出される。この状態が第２部材４１を前方へ延出させた延伸状態である。そして装着ネジ３８を、スピニングリール２００の保護部２２０ｂの内側に形成された雌ネジと螺合させて、スピニングリールスタンドとして使用する。
【００３９】
リールスタンド３０の利点はリールスタンド１０の利点と同じである。構造的には、スプリング４０を配置した分だけ第２部材４１の延伸可能長さがリールスタンド１０の第２部材２１の延伸可能長さよりも小さくなる。しかし収容状態から延伸状態にするときに、雄ネジ４４と雌ネジ３４との螺合を解除するだけでスプリング４０の付勢力によって自動的に延伸状態となる。そのため、リールスタンド１０よりも延伸状態にするための操作が容易である。
【００４０】
（実施の形態３）
図６を参照して、実施の形態３に係るリールスタンド５０を説明する。
【００４１】
図６（ａ）、（ｂ）に示すように、リールスタンド５０は第１部材５１と第２部材６１とを有する。第１部材５１は、中心軸Ｓに沿って前端にいくほど外径が小さくなるテーパを有する円筒形の棒材である。第１部材５１は、前端部（第２端部）５３が開口した円筒形の収容空間５７が内部に形成されている。前端部５３の開口部内側には、雌ネジ（第１係合部）５５が形成されている。第１部材５１の後端部（第１端部）５２には、装着ネジ５８が後方に突出して設けられている。装着ネジ５８の構造と機能はリールスタンド１０の装着ネジ１８と同じである。
【００４２】
第２部材６１は、中心軸Ｓと同軸上に配置される中実の円筒形の棒材である。第２部材６１の後端部（第１端部）６２の外周には、雄ネジ６４が形成されている。第２部材６１の後端には、雄ネジ６４よりも径が大きい円板状のストッパ６６が形成されている。第２部材６１の前端部（第２端部）６３には、雄ネジ６４と同じ外径とピッチを有する雄ネジ（第２係合部）６５が形成されている。雄ネジ６５は、雌ネジ５５と螺合可能である。第２部材６１の前端には、側部６９を有する接地部６８が形成されている。即ち、第２部材６１は接地部６８を除いた部分である。接地部６８の構造と機能はリールスタンド１０の接地部２８と同じである。
【００４３】
リールスタンド５０をスピニングリールスタンドとして使用しないときは、ユーザが第２部材６１を右回りに回転させ、雄ネジ６５を第１部材５１の雌ネジ５５と螺合させる。これにより、図６（ａ）に示すように、第２部材６１の前端部６３を除く部分が収容空間５７に収容された収容状態となる。
【００４４】
リールスタンド５０をスピニングリールスタンドとして使用するときは、第２部材６１を左回りに回転させて雄ネジ６５と雌ネジ５５との螺合を解除し、第２部材６１を前方に引き出してさらに左回りに回転させ、第２部材６１の雄ネジ６４を第１部材５１の雌ネジ５５と螺合させる。ストッパ６６が第１部材５１の前端部５３の後端に当接するまで第２部材６１を左回転すると、図６（ｂ）に示すように、第２部材６１を前方へ延出させた延伸状態となる。そして装着ネジ５８を、スピニングリール２００の保護部２２０ｂの内側に形成された雌ネジと螺合させて、スピニングリールスタンドとして使用する。
【００４５】
リールスタンド５０の利点はリールスタンド１０の利点と同じである。構造的には、リールスタンド１０の第１部材１１の雌ネジ１４が不要となり、収容空間５７をリールスタンド１０の収容空間１７よりも深くすることができる。そのため、第２部材６１の延伸可能長さを第２部材２１の延伸可能長さより大きくすることができる。逆に、第２部材６１の延伸可能長さをより大きくする必要がない場合、図示しないが第１部材５１の長さは第１部材１１よりも小さくすることができ、よりコンパクトとなる。
【００４６】
（実施の形態４）
図７を参照して、実施の形態４に係るリールスタンド７０を説明する。リールスタンド７０は、リールスタンド５０にスプリング（付勢部材）８０を備えた形態である。
【００４７】
図７（ａ）、（ｂ）に示すように、リールスタンド７０は第１部材７１と第２部材８１とを有する。第１部材７１は、中心軸Ｓに沿って前端にいくほど外径が小さくなるテーパを有する円筒形の棒材である。第１部材７１は、前端部（第２端部）７３が円形に開口した円筒形の収容空間７７が内部に形成されている。前端部７３の開口部の内側には雌ネジ（第１係合部）７５が形成されている。第１部材７１の後端部（第１端部）７２には、装着ネジ７８が後方に突出して設けられている。装着ネジ７８の構造と機能はリールスタンド１０の装着ネジ１８と同じである。
【００４８】
第２部材８１は、中心軸Ｓと同軸上に配置される中実の円筒形の棒材である。第２部材８１の後端部（第１端部）８２には、前端部７３の開口よりも大きな径を有する円板状のストッパ８６が形成されている。第１部材７１の収容空間７７の底面７６とストッパ８６との間に、スプリング８０が配置されている。スプリング８０は、後端側が底面７６と当接し、前端側がストッパ８６と当接し、第２部材８１を中心軸Ｓ方向前方に付勢する。リールスタンド５０と異なり、後端部８２には雄ネジは形成されていない。
【００４９】
第２部材８１の前端部（第２端部）８３には、雄ネジ（第２係合部）８５が形成されている。また第２部材８１の前端には、側部８９を有する接地部８８が形成されている。即ち、第２部材８１は接地部８８を除いた部分である。接地部８８の構造と機能はリールスタンド１０の接地部２８と同じである。
【００５０】
リールスタンド７０をスピニングリールスタンドとして使用しないときは、ユーザが雄ネジ８５を第１部材７１の雌ネジ７５に螺合させる。すると、図７（ａ）に示すように、第２部材８１の前端部８３を除く部分が第１部材７１の収容空間７７に収容された収容状態となる。スプリング８０は、収容状態において最も圧縮された状態となる。
【００５１】
リールスタンド７０をスピニングリールスタンドとして使用するときは、収容状態から第２部材８１を左回りに回転させて雄ネジ８５と雌ネジ７５との螺合を解除する。すると図７（ｂ）に示すように、スプリング８０の付勢力により、ストッパ８６が第１部材７１の前端部７３の後端面に当接するまで、第２部材８１が前方に押し出される。この状態が第２部材８１を前方へ延出させた延伸状態である。そして装着ネジ７８を、スピニングリール２００の保護部２２０ｂの内側に形成された雌ネジと螺合させて、スピニングリールスタンドとして使用する。
【００５２】
リールスタンド７０の利点はリールスタンド５０の利点と同じである。構造的には、スプリング８０を配置した分だけ第２部材８１の延伸可能長さがリールスタンド５０の第２部材６１の延伸可能長さよりも小さくなる。しかし収容状態から延伸状態にするときに、雄ネジ８５と雌ネジ７５との螺合を解除するだけでスプリング８０の付勢力によって自動的に延伸状態となる。そのため、リールスタンド５０よりも延伸状態にするための操作が容易である。
【００５３】
（実施の形態５）
図８を参照して、実施の形態５に係るリールスタンド９０を説明する。
【００５４】
図８（ａ）、（ｂ）に示すように、リールスタンド９０は第１部材９１と第２部材１０１とを有する。なお、図８（ａ）はリールスタンド９０をスピニングリールスタンドとして使用しない収容状態であり、第２部材１０１は前後方向が第１部材９１の前後方向とは逆の向きに収容されている。図８（ｂ）はリールスタンド９０をスピニングリールスタンドとして使用する延伸状態であり、第２部材１０１が第１部材９１の前後方向と同じ前後方向で配置されている。
【００５５】
第１部材９１は、中心軸（円筒軸）Ｓに沿って前端にいくほど外径が小さくなるテーパを有する円筒形の棒材である。第１部材９１は、前端部（第２端部）９３が円形に開口した円筒形の収容空間９７が内部に形成されている。前端部９３の開口部内側には、雌ネジ９５が形成されている。前端部９３の前端面は中央部が陥凹して凹部９９を形成している。
【００５６】
第１部材９１の後端部（第１端部）９２の中央部には円形の開口が設けられており、その内側に雌ネジ（第１係合部）９４が形成されている。雌ネジ９４と雌ネジ９５とは、同じピッチと内径を有している。後端部９２には、装着ネジ９８が後方に突出して設けられている。
【００５７】
第２部材１０１は、中心軸Ｓと同軸上に配置される中実の円筒形の棒材である。図８（ｂ）に示すように、第２部材１０１の後端部（第１端部）１０２の外周には、雄ネジ１０５が形成されている。雄ネジ１０５は、第１部材９１の雌ネジ９５と螺合可能である。第２部材１０１の前端部（第２端部）１０３の外周には、雄ネジ（第２係合部）１０４が形成されている。図８（ａ）に示すように、雄ネジ１０４は、第１部材９１の雌ネジ９４と螺合可能である。雄ネジ１０４と雄ネジ１０５とは、同じピッチと外径を有している。
【００５８】
リールスタンド９０の接地部１１８は、第２部材１０１と螺着及び取り外し可能となっており、図８（ａ）、（ｂ）では取り外した状態の断面図で示している。断面図に示すように、接地部１１８はその後端面に開口した孔に形成された雌ネジ１１７を有しており、雌ネジ１１７は第２部材１０１の雄ネジ１０４と雄ネジ１０５のいずれにも螺合可能である。図８（ａ）に示すように、第２部材１０１を収容したときは、接地部１１８は雄ネジ１０５に螺合させる。また図８（ｂ）に示すように、第２部材１０１を延伸したときは、接地部１１８は雄ネジ１０４に螺合させる。接地部１１８は側部１１９を有し、その機能はリールスタンド１０の接地部２８と同じである。
【００５９】
第２部材１０１は、雄ネジ１０５の前方に隣接してストッパ１０６が設けられている。ストッパ１０６は、第１部材９１の前端部９３の外径とほぼ同じ外径を有する円板である。ストッパ１０６は、前面中央部に突出した凸部１０７が形成されている。凸部１０７の形状は、第１部材９１の前端部９３の凹部９９の陥凹形状と相補的な凸形状を有している。
【００６０】
リールスタンド９０をスピニングリールスタンドとして使用しないときは、図８（ａ）に示すように、第２部材１０１を第１部材９１の前後方向と前後逆向きにして、雄ネジ１０４を第１部材９１の雌ネジ９４と螺合させることにより、収容状態とする。このとき、ストッパ１０６の凸部１０７が第１部材９１の凹部９９に受容されて安定化される。
【００６１】
またリールスタンド９０をスピニングリールスタンドとして使用するときは、図８（ｂ）に示すように、第２部材１０１をいったん外して第１部材９１の前後方向に向きを合わせて、雄ネジ１０５を第１部材９１の雌ネジ９５と螺合させることにより、延伸状態とする。このとき、ストッパ底面１０８の外周部が第１部材９１の前端部９３の前端外周部と当接して安定化される。そして装着ネジ９８を、スピニングリール２００の保護部２２０ｂの内側に形成された雌ネジと螺合させて、スピニングリールスタンドとして使用する。
【００６２】
リールスタンド９０の利点は、リールスタンド１０の利点と同じである。
【００６３】
（実施の形態６）
図９を参照して、実施の形態６に係るリールスタンド１３０を説明する。リールスタンド１３０は、リールスタンド５０の第２部材６１の雄ネジ６４を全円筒周面に設けた構造である。
【００６４】
図９に示すように、リールスタンド１３０は第１部材１３１と第２部材１４１とを有する。第１部材１３１は、前端にいくほど外径が小さくなるテーパを有する円筒形の棒材である。第１部材１３１は、前端部（第２端部）１３３が円形に開口した円筒形の収容空間１３７が内部に形成されている。前端部１３３の開口部の内側には、雌ネジ１３５が形成されている。第１部材１３１の後端部（第１端部）１３２には、装着ネジ１３８が後方に突出して設けられている。
【００６５】
第２部材１４１は、中心軸Ｓと同軸上に配置される中実の円筒形の棒材である。第２部材１４１には、その後端部（第１端部）１４２から前端部（第２端部）１４３にわたって雄ネジ（第２係合部）１４４が全円筒周面に形成されている。第２部材１４１の後端に、前端部１３３の開口よりも大きな径を有する円板状のストッパ１４６が形成されている。第２部材１４１の前端には、側部１４９を有する接地部１４８が形成されている。即ち、第２部材１４１は接地部１４８を除いた部分である。接地部１４８の構造と機能はリールスタンド１０の接地部２８と同じである。
【００６６】
リールスタンド１３０を使用しないときは、第２部材１４１を第１部材１３１の最も奥まで回転させて収容する。これにより、図９（ａ）に示すように、第２部材１４１の前端部１４３を除く部分が第１部材１３１の収容空間１３７に収容された収容状態となる。
【００６７】
リールスタンド１３０をスピニングリールスタンドとして使用するときは、第２部材１４１を回転させてストッパ１４６が前端部１３３の底面に当接するまで引き出す。これにより、図９（ｂ）に示すように、第２部材１４１を前方へ延出させた延伸状態となる。そして装着ネジ１３８を、スピニングリール２００の保護部２２０ｂの内側に形成された雌ネジと螺合させて、スピニングリールスタンドとして使用する。なお、リールスタンド１３０は、必ずしもストッパ１４６が前端部１３３の底面に当接するまで引き出す必要はなく、スピニングリール２００を支持できる途中の位置まで第２部材１４１を引き出した延伸状態で使用してもよい。
【００６８】
リールスタンド１３０の利点はリールスタンド１０の利点と同じである。さらに、第２部材１４１を任意の延伸位置で安定させることができる。そのため、スピニングリール２００の大きさに合わせて、リールスタンド１３０の長さを任意に調節してスピニングリール２００を支持することができる。
【００６９】
リールスタンド１０、３０、５０、７０、９０、１３０の製造方法は任意である。図面では、各リールスタンドの第１部材や第２部材と接地部はそれぞれが一体成形物のように図示したが、１つの部材を複数の部品から構成してもよい。このようにすることにより、他の部材を組み合わせた後に接着や螺合等の方法で接合して製造することができる。
【００７０】
例えば、リールスタンド３０において、第１部材３１を、後端部３２とその他の部分（胴部）とに分けて製造し、第２部材４１やスプリング４０を胴部に組み合わせたのちに後端部３２を接合してもよい。あるいは、第２部材４１と接地部４８とを別々に製造し、スプリング４０と第２部材４１を第１部材３１と組み込んだ後に接地部４８を螺合や接着により接合してもよい。
【００７１】
また、リールスタンド１０において、第１部材１１の円筒部に部分的に開口を設け、ストッパ２６のない第２部材２１を第１部材１１に挿入した後、円筒部の開口からストッパ２６を形成又は取り付けてもよい。
【００７２】
（変形例）
上記実施の形態１から６では、第１部材及び第２部材ともに円筒形（中実又は中空）とした。しかし形状は円筒形に限定されず、任意である。例えば角柱状でもよい。また長さ方向にテーパを有していなくともよく、径に変化があってもよい。また第２部材は中実としたが、中空でもよい。
【００７３】
上記実施の形態１から６では、第２部材は第１部材と同じ円筒形部材とした。しかし第２部材は第１部材と同じ形状でなくともよく、第１部材の内部に少なくとも一部が収容可能であり、また第１部材の内部から延伸可能な形状であればよい。
【００７４】
ストッパはいずれも円板状としたが、ストッパの役割（脱落防止）を果たせばよいのであって、その形状は限定されない。また全周に設ける必要はなく、円周の一部に設けてもよい。
【００７５】
なお、リールスタンド１０では、雄ネジ２４と雄ネジ２５がストッパ２６を挟んで形成されている。雄ネジ２４と雄ネジ２５が同じ外径とピッチを有するため、延伸状態にするときに第２部材２１を左回りに回転させすぎると、第２部材２１全体が第１部材１１から脱落するおそれがあり、ストッパ２６はそれを防止している。この第２部材２１の脱落を防止するため、雄ネジ２５の外径を雄ネジ２４の外径よりも小さくして段差を設けてもよい（図示せず）。この場合、雄ネジ２５と螺合する雌ネジ１５の径を雄ネジ２５の外径と合わせて小さくすればよい。このような構成であれば、段差がストッパの役割を果たすため、ストッパ２６を設ける必要がなくなる。
【００７６】
上記実施の形態１から６では、第１部材と第２部材との係合は雄ネジと雌ネジとの螺合係合とした。しかし係合のための別部材を用いない係合方法は任意である。例えば、凸部とそれに係合可能な凹部とで係合させてもよい（図示せず）。この場合、凸部を係合位置と解除位置に変位させて係合とその解除をさせるようにしておけばよい。あるいは、凸部と凹部との間の嵌合摩擦力を利用した嵌合係合としてもよい。このようにしても係合部材を別に設ける必要がなく、係合部材が紛失することを防ぐことができる。
【符号の説明】
【００７７】
１０、３０、５０、７０、９０、１３０  リールスタンド
１１、３１、５１、７１、９１、１３１  第１部材
１２、３２、５２、７２、９２、１３２  第１部材の後端部（第１端部）
１３、３３、５３、７３、９３、１３３  第１部材の前端部（第２端部）
１４、３４、５５、７５、９４、１３５  雌ネジ（第１係合部）
１５、９５、１１７  雌ネジ
１６、３６  円孔
１７、３７、５７、７７、９７、１３７  収容空間
１８、３８、５８、７８、９８、１３８  装着ネジ
２１、４１、６１、８１、１０１、１４１  第２部材
２２、４２、６２、８２、１０２、１４２  第２部材の後端部（第１端部）
６３、８３、１０３、１４３  第２部材の前端部（第２端部）
２４、４４、６５、８５、１０４、１４４  雄ネジ（第２係合部）
２５、６４、１０５  雄ネジ
２６、４６、６６、８６、１０６、１４６  ストッパ
２８、４８、６８、８８、１１８、１４８  接地部
２９、４９、６９、８９、１１９、１４９  側部
３５、７６  底面
４０、８０  スプリング（付勢部材）
９９  凹部
１０７  凸部
１０８  ストッパ底面
２００  スピニングリール
２１１  ハンドル
２１２  リール本体
２１２ａ  リールボディ
２１２ｂ  脚部
２１２ｃ  取付部
２１３  ロータ
２１４  スプール
２２０ａ、ｂ  保護部
２２２  キャップ
２２３  雄ネジ
Ｒ  釣竿
Ｓ  中心軸（円筒軸）
【図１】
0006616245.tif 000002
【図２】
0006616245.tif 000003
【図３】
0006616245.tif 000004
【図４】
0006616245.tif 000005
【図５】
0006616245.tif 000006
【図６】
0006616245.tif 000007
【図７】
0006616245.tif 000008
【図８】
0006616245.tif 000009
【図９】
0006616245.tif 000010